(57)【要約】【課題】  省電力状態から復帰させるキー入力の際の操作性を良くする。【解決手段】  状態制御操作判定部１８は、画像形成装置が省電力状態のとき、ノイズフィルタ１６およびエッジ検出部１７を介して入力された入力キーの種類と入力順を検出し、キー登録操作時間登録部１９に記憶された複数の入力キーと入力順との組み合わせと一致すると判定された場合、省電力復帰条件監視部１１に復帰リクエスト信号を出力して画像形成装置を省電力状態から電力供給状態に復帰させ、最初の入力キーを検出してから所定時間を経過するまでに上記複数の入力キーに相当する入力数を検出しなかった場合、最初の入力キーを検出する初期状態に戻す。【選択図】        図１
2013051468.tif 000002
【特許請求の範囲】
【請求項１】
省電力状態の装置を電力供給状態に復帰させる省電力制御手段と、
複数種類の入力キーを備えた入力手段と、
省電力状態から電力供給状態に復帰させる要求を示す予め決められた複数の入力キーの種類と入力順の組み合わせを記憶する記憶手段と、
前記入力手段によって入力された入力キーの種類と入力順を検出する検出手段と、
前記装置が省電力状態のときに前記検出手段によって検出した複数の入力キーと入力順との組み合わせと、前記記憶手段に記憶されている複数の入力キーの種類と入力順との組み合わせが一致するか否かを判定する判定手段と、
前記判定手段によって一致すると判定された場合、前記省電力制御手段によって前記装置を省電力状態から電力供給状態に復帰させる省電力復帰指示手段と、
前記検出手段によって最初の入力キーを検出してから所定時間を経過するまでに前記記憶手段に記憶された複数の入力キーに相当する入力数を検出しなかった場合、前記検出手段を最初の入力キーを検出する初期状態に戻すキー入力検出初期化制御手段とを備えたことを特徴とする省電力制御装置。
【請求項２】
前記記憶手段に複数の入力キーの種類と入力順の組み合わせを複数種類記憶したことを特徴とする請求項１記載の省電力制御装置。
【請求項３】
前記入力手段によって入力キーの入力がある毎に、前記記憶手段に記憶された複数の入力キーに相当する入力数に達するまで、入力された入力キー数を示す情報を表示する手段を設けたことを特徴とする請求項１又は２記載の省電力制御装置。
【請求項４】
装置を省電力状態に移行させる手段を有し、請求項１乃至３のいずれか一項に記載の省電力制御装置を備えたことを特徴とする画像形成装置。
【発明の詳細な説明】
【技術分野】
【０００１】
この発明は、省電力状態の装置を電力供給状態に復帰させる省電力制御装置と、ファクシミリ装置、プリンタ、複写機、並びにそれらの装置の機能を備えた複合機を含む画像形成装置に関する。
【背景技術】
【０００２】
従来、複写機やファクシミリ装置等の原稿読取記録装置において、記録部への通電量を低下させて省エネルギー状態とした場合、予め登録された組合せの複数の操作キーが操作されたことを条件に省エネルギー状態を解除する原稿読取記録装置（例えば、特許文献１参照）があった。
【発明の概要】
【発明が解決しようとする課題】
【０００３】
しかしながら、省エネルギー状態を解除する複数のキー操作が途中のまま放置された場合、次のユーザは、省エネルギー状態を解除するためにキー操作を初期状態に戻した後、省エネルギー状態を解除するためのキー操作をしなければならないので、操作性が良くないという問題があった。
この発明は上記の点に鑑みてなされたものであり、省電力状態から復帰させるキー入力の際の操作性を良くすることを目的とする。
【課題を解決するための手段】
【０００４】
この発明は上記の目的を達成するため、省電力状態の装置を電力供給状態に復帰させる省電力制御手段と、複数種類の入力キーを備えた入力手段と、省電力状態から電力供給状態に復帰させる要求を示す予め決められた複数の入力キーの種類と入力順の組み合わせを記憶する記憶手段と、入力手段によって入力された入力キーの種類と入力順を検出する検出手段と、上記装置が省電力状態のときに検出手段によって検出した複数の入力キーと入力順との組み合わせと、記憶手段に記憶されている複数の入力キーの種類と入力順との組み合わせが一致するか否かを判定する判定手段と、その判定手段によって一致すると判定された場合、省電力制御手段によって上記装置を省電力状態から電力供給状態に復帰させる省電力復帰指示手段と、検出手段によって最初の入力キーを検出してから所定時間を経過するまでに記憶手段に記憶された複数の入力キーに相当する入力数を検出しなかった場合、検出手段を最初の入力キーを検出する初期状態に戻すキー入力検出初期化制御手段を備えた省電力制御装置を提供する。
【発明の効果】
【０００５】
この発明による省電力制御装置と画像形成装置は、省電力状態から復帰させるキー入力の際の操作性を良くすることができる。
【図面の簡単な説明】
【０００６】
【図１】図２に示す省電力制御部の操作監視部の内部構成を省電力復帰条件監視部と共に示すブロック図である。
【図２】発明の一実施形態である画像形成装置の構成を示すブロック図である。
【図３】図２に示す画像形成装置のコントローラ部と電源系統の構成を示すブロック図である。
【図４】図２に示す操作表示部の主要な入力キーの配置例を示す図である。
【図５】図２に示す画像形成装置における省電力状態遷移図である。
【図６】図５に示す各状態又は各モードにおける省電力制御部、Ｉ／Ｏ制御部およびメイン制御部への給電状態と給電停止状態を示す一覧表である。
【図７】複数種類の省電力状態間の移行要因の一例を示す一覧表である。
【図８】図１に示す状態制御操作判定部が入力キーによる操作によって省電力状態から復帰する処理を示すフローチャート図である。
【図９】図２に示す画像形成装置における省電力状態復帰遷移図である。
【図１０】図２に示す画像形成装置における省電力状態復帰遷移制御時のタイミングチャート図である。
【図１１】図２に示す画像形成装置における他の例の省電力状態復帰遷移図である。
【図１２】図２に示す画像形成装置における他の例の省電力状態復帰遷移制御時のタイミングチャート図である。
【図１３】図４に示す操作表示部の各キー及び各ＬＥＤを用いた店頭表示例を示す図である。
【発明を実施するための形態】
【０００７】
以下、この発明を実施するための形態を図面に基づいて具体的に説明する。
図２は、発明の一実施形態である画像形成装置１の構成を示すブロック図である。
画像形成装置１は、スキャナ装置、プリンタ装置、ファクシミリ装置、複写装置、並びにそれらの装置の機能を備えた複合装置等である。
この画像形成装置１は、コントローラ部２、エンジン部３、ＲＯＭ（Ｒｅａｄ  Ｏｎｌｙ  Ｍｅｍｏｒｙ）４、操作表示部５、ＵＳＢ（Ｕｎｉｖｅｒｓａｌ  Ｓｅｒｉａｌ  Ｂｕｓ）メモリ６及び外部ＲＡＭ（Ｒａｎｄｏｍ  Ａｃｃｅｓｓ  Ｍｅｍｏｒｙ）７を備えている。
【０００８】
また、画像形成装置１は、ＬＡＮ（Ｌｏｃａｌ  Ａｒｅａ  Ｎｅｔｗｏｒｋ）等のネットワーク（ＮＷ）９に接続されており、ＮＷ９上のパーソナルコンピュータ（ＰＣ）、他の画像形成装置を含む外部装置と通信可能である。
さらに、画像形成装置１は、ＰＣ８と直接接続し、ＰＣ８と通信可能である。
エンジン部３は、原稿を主走査及び副走査して該原稿の画像をＲＧＢで読み取る画像読取部、コントローラ部２からのＣＭＹＫの画像データに基づいてカラー画像を印刷用紙等の記録媒体に形成する印刷部（「プロッタ」ともいう）を含むエンジンである。
【０００９】
上記ＲＧＢは、赤（Ｒ）、緑（Ｇ）、青（Ｂ）の３原色である。
また、上記ＣＭＹＫは、シアン（Ｃ）、マゼンタ（Ｍ）、イエロー（Ｙ）、ブラック（Ｋ）の４種類の色である。
ＲＯＭ４は、画像形成装置１の全体の制御手順からなる制御プログラムを含むプログラムと、画像形成装置１が各種の処理を実行する際に必要なデータを予め記憶する記憶装置である。
【００１０】
操作表示部５は、画像形成装置１をユーザが操作するのに必要な各種の入力キー（「操作キー」ともいう）を備えた操作部を有する。
また、操作表示部５は、ユーザに各種の作業画面や情報を表示するための液晶ディスプレイを含む表示画面と、ユーザに画像形成装置１の各種の状態を点灯又は消灯で知らせるためのＬＥＤ（Ｌｉｇｈｔ  Ｅｍｉｔｔｉｎｇ  Ｄｉｏｄ）を含むランプを備えた表示部を有する。
【００１１】
ＵＳＢメモリ６は、画像形成装置１に着脱可能であり、画像処理装置１との間でデータの授受が可能であり、画像データを含む各種のデータを記憶する記録媒体である。
外部ＲＡＭ７は、画像形成装置１のワークメモリ等として使用され、例えば、エンジン部３の画像読取部で読み取られた画像データ、エンジン部３の印刷部で印刷する画像データ及びその他のワークデータの記憶に利用される記憶媒体である。
コントローラ部２の内部は、省電力制御部１０、インプットアウトプット（Ｉ／Ｏ）制御部２０及びメイン制御部３０の３つの機能ブロックを備えている。
【００１２】
省電力制御部１０は、省電力復帰条件監視部１１、操作監視部１２、ＵＳＢペリフェラルＩ／Ｆ部１３、ＲＡＭ１４及びタイマ（ＴＭＲ）１５を備えている。
また、Ｉ／Ｏ制御部２０は、ＣＰＵ２１、ネットワーク制御部２２及びメモリコントローラ部２３を備えている。
さらに、メイン制御部３０は、ＣＰＵ３１、画像処理部３２、エンジン制御部３３、エンジンＩ／Ｆ部３４、外部バスＩ／Ｆ部３５、操作表示Ｉ／Ｆ部３６及びＵＳＢホストＩ／Ｆ部３７を備えている。
【００１３】
そして、省電力制御部１０、Ｉ／Ｏ制御部２０及びメイン制御部３０の間、省電力制御部１０、Ｉ／Ｏ制御部２０及びメイン制御部３０内の各部は、互いに通信可能にバスで接続されている。
省電力制御部１０は、省電力移行要因の発生を検出すると、省電力制御部１０、Ｉ／Ｏ制御部２０又はメイン制御部３０への電源の電力の供給停止を要求する。
この省電力移行とは、予め決められた省電力モードにおける各部への電源の電力の供給を停止して画像形成装置１を省電力状態にすることである。また、省電力移行要因には、例えば、キー入力、所定時間ジョブの要求が無かった場合などがある。
【００１４】
さらに、省電力制御部１０は、省電力状態のときに省電力復帰条件監視部１１によって省電力復帰要因の発生を検出すると、省電力制御部１０、Ｉ／Ｏ制御部２０及びメイン制御部３０への電源の電力の供給を要求する。
この省電力復帰とは、電源の電力の供給停止状態を解除して供給を開始させることである。また、省電力復帰要因の発生は、例えば、キー入力、ジョブの要求などがある。
省電力復帰条件監視部１１は、省電力状態から通常動作可能な状態への移行要因、すなわち、電源の電力が供給される待機状態への省電力復帰要因の発生を検出する。
【００１５】
省電力制御部１０のＵＳＢペリフェラルＩ／Ｆ部１３は、ＵＳＢケーブルによってＰＣ８を接続している。
そして、ＵＳＢペリフェラルＩ／Ｆ部１３は、そのＰＣ８との間で、データの授受の制御を司る。
このＵＳＢペリフェラルＩ／Ｆ部１３は、例えば、ＰＣ８からの印刷要求を受信すると、バスを介して、メイン制御部３０のＣＰＵ３１に印刷要求を渡すと共に、省電力復帰条件監視部１１に復帰リクエスト信号を出力する。
【００１６】
上記復帰リクエスト信号は、この画像形成装置１を省電力状態から通常の給電状態へ復帰させる要求を示す信号である。
省電力制御部１０のＲＡＭ１４は、省電力制御部１０の動作に必要な各種データを記憶する。
省電力制御部１０のＴＭＲ１５は、各種時間の計時をする。
この、ＴＭＲ１５は、例えば、画像形成装置１が待機状態に入ってから予め設定されている省電力状態へ移行する待ち時間の計時をする。
【００１７】
そして、ＴＭＲ１５は、上記待ち時間が経過すると、省電力復帰条件監視部１１に省電力移行リクエスト信号を出力する。
上記省電力移行リクエスト信号は、この画像形成装置１を通常の給電状態から省電力状態へ移行させる要求を示す信号である。
省電力復帰条件監視部１１は、省電力移行リクエスト信号を受信すると、図３の第１電源制御部４０、第２電源制御部４１、第３電源制御部４２にそれぞれ電源制御信号を出力し、省電力制御部１０については給電状態のままにし、Ｉ／Ｏ制御部２０とメイン制御部３０は給電状態から省電力状態へ移行させる。
【００１８】
また、省電力復帰条件監視部１１は、操作監視部１２から復帰リクエスト信号を受信すると、図３の第１電源制御部４０、第２電源制御部４１、第３電源制御部４２にそれぞれ電源制御信号を出力し、省電力制御部１０については給電状態のままにし、Ｉ／Ｏ制御部２０とメイン制御部３０は省電力状態から給電状態に復帰させる。
すなわち、省電力復帰条件監視部１１は、省電力状態の装置を電力供給状態に復帰させる省電力制御手段の機能を果たす。
【００１９】
操作監視部１２は、操作表示部５と信号を送受する信号線で接続されている。
この操作監視部１２は、操作表示部５から信号線を介して予め省電力復帰操作用として登録されている入力キーのキー入力信号を受信すると、ユーザによるキー入力によって省電力復帰操作が行われたと判断する。
そして、操作監視部１２は、省電力復帰操作が行われたと判断すると、省電力復帰条件監視部１１に復帰リクエスト信号を出力する。
【００２０】
省電力復帰条件監視部１１は、操作監視部１２、ＴＭＲ１５及びＵＳＢぺリフェラルＩ／Ｆ部１３とそれぞれ信号を送受する信号線で接続されている。
この省電力復帰条件監視部１１は、操作監視部１２、ＴＭＲ１５又はＵＳＢぺリフェラルＩ／Ｆ部１３のいずれかから復帰リクエスト信号を受信すると、後述する図３の第１電源制御部４０、第２電源制御部４１又は第３電源制御部４２への電源制御信号を出力する。
【００２１】
この電源制御信号は、第１電源制御部４０、第２電源制御部４１又は第３電源制御部４２に対して給電再開を指示する信号である。
省電力制御部１０は、Ｉ／Ｏ制御部２０のＣＰＵ２１又はメイン制御部３０のＣＰＵ３１からの省電力制御部１０へのレジスタ値の設定により、省電力制御部１０、Ｉ／Ｏ制御部２０及びメイン制御部３０への電力の供給と供給停止を制御する。
Ｉ／Ｏ制御部２０は、ネットワーク制御部２２によってＮＷ９と接続している。
【００２２】
ネットワーク制御部２２は、Ｉ／Ｏ制御部２０のＣＰＵ２１の制御下でＮＷ９上の装置との通信を制御する。すなわち、このネットワーク制御部２２は、データ通信の機能の処理を行う処理手段の機能を果たす。このデータ通信には、ファクシミリ通信及びインターネットを介したメール通信も含む。
Ｉ／Ｏ制御部２０のメモリコントローラ部２３は、外部ＲＡＭ７を接続すると共にメイン制御部３０のバスとも接続している。
【００２３】
このメモリコントローラ部２３は、Ｉ／Ｏ制御部２０のＣＰＵ２１及びメイン制御部３０のＣＰＵ３１からの要求に応じて、外部ＲＡＭ７への読み書きのアクセスを制御する。
外部ＲＡＭ７は、Ｉ／Ｏ制御部２０のＣＰＵ２１とメイン制御部３０のＣＰＵ３１の双方によって利用される。
Ｉ／Ｏ制御部２０のＣＰＵ２１は、ネットワーク制御部２２及びメモリコントローラ部２３を制御して各種Ｉ／Ｏ制御を行う。
【００２４】
メイン制御部３０は、エンジンＩ／Ｆ部３４にエンジン部３を、外部バスＩ／Ｆ部３５にＲＯＭ４を、操作表示Ｉ／Ｆ部３６に操作表示部５を、ＵＳＢホストＩ／Ｆ部３７にＵＳＢメモリ６をそれぞれ接続している。
メイン制御部３０のＣＰＵ３１は、ＲＯＭ４内のプログラムを実行することにより画像形成装置１の各部を制御して、画像形成装置１としての基本処理を実行すると共に、後述する省電力復帰処理の設定処理を行う。
【００２５】
画像処理部３２は、エンジン部３のスキャナ部で読み取られた画像データに対する各種画像処理（例えば、補正処理、変倍処理、回転処理等）を行うと共に、エンジン部３のプロッタ部で記録出力に使用する画像データに対して、プロッタ部に応じた画像データへの変換等の各種画像処理を行う。この画像処理部３２は、画像読取、印刷、及び複写を含む機能の処理を行う処理手段の機能を果たす。
エンジン制御部３３は、ＣＰＵ３１の制御下で、エンジンＩ／Ｆ３４を介してエンジン部３の動作を制御する。
【００２６】
そして、コントローラ部２は、上述したように、省電力制御部１０、Ｉ／Ｏ制御部２０及びメイン制御部３０の３つのブロックに分けられており、省電力制御部１０、Ｉ／Ｏ制御部２０及びメイン制御部３０の各ブロックの間は、アイソレーションセルにより電源分離されていて、省電力制御部１０、Ｉ／Ｏ制御部２０及びメイン制御部３０の各ブロック毎に電力の供給と供給遮断の制御が可能である。
【００２７】
次に、操作表示部５の主要な入力キーについて説明する。
図４は、図２に示した操作表示部５の主要な入力キーの配置例を示す図である。
操作表示部５は、操作部の入力キーからは、この画像形成装置１を利用した複写処理に必要な各種操作や後述するように集約記録機能を使用した記録処理での各種操作に対応するキー入力が行われる。
すなわち、操作表示部５は、複数種類の入力キーを備えた入力手段の機能を果たす。
また、表示部（ディスプレイ）には、入力キーから入力された命令内容や画像形成装置１からオペレータに通知する各種情報が表示される。
【００２８】
図４に示すように、操作表示部５は、キャンセル（ＣＡＮＣＥＬ）キー５０、電源（ＰＷＲ）キー５１を備えている。
キャンセルキー５０は、各種動作指示の解除要求、及び省電力状態復帰要求を含む操作を行う入力キーとして用いられる。
また、電源キー５１は、押下入力される毎に電源のオンとオフをそれぞれ入力操作することができる。
【００２９】
このキャンセルキー５０と電源キー５１は、入力キーと共に、押下時に点灯して入力されたことを明示する機能を果たすＬＥＤも備えている。また、電源キー５１の場合は、電源のオンの場合にＬＥＤを点灯し、電源のオフの場合にＬＥＤを消灯する。
さらに、操作表示部５には、図２のエンジン部３のプロッタで使用しているＣＭＹＫのインクのニアエンドを通知するＣ用ＬＥＤ５２、Ｍ用ＬＥＤ５３、Ｙ用ＬＥＤ５４、Ｋ用ＬＥＤ５５を備えている。
【００３０】
このＣ用ＬＥＤ５２、Ｍ用ＬＥＤ５３、Ｙ用ＬＥＤ５４、Ｋ用ＬＥＤ５５は、ユーザが省電力状態から電力供給状態に復帰させる要求を示すキー操作の際、操作表示部５の操作部によって入力キーの入力がある毎に、予め記憶された複数の入力キーに相当する入力数に達するまで、入力された入力キー数を示す情報を表示する手段としても使用する。
【００３１】
次に、この画像形成装置１のコントローラ部２と電源系統の構成について説明する。
図２に示したコントローラ部２の省電力制御部１０、Ｉ／Ｏ制御部２０及びメイン制御部３０は、それぞれ異なる電源制御部によって電力の給電が制御されている。
図３は、図２に示した画像形成装置１のコントローラ部２と電源系統の構成を示すブロック図である。
【００３２】
図３に示すように、省電力制御部１０は第１電源制御部４０と第１電源監視部４３によって、Ｉ／Ｏ制御部２０は第２電源制御部４１と第２電源監視部４４によって、メイン制御部３０は第３電源制御部４２と第３電源監視部４５によって、それぞれ図示を省略した電源供給部からの電力の供給が制御される。
第１電源制御部４０、第２電源制御部４１、第３電源制御部４２は、後述する電源キー５１が押下されて電源スイッチ信号ｐｗｒ＿ｓｗが入力されると、それぞれ対応する省電力制御部１０、Ｉ／Ｏ制御部２０、メイン制御部３０に電源の電力ｐｏｗｅｒ１〜ｐｏｗｅｒ３の供給を開始する。
【００３３】
また、第１電源制御部４０、第２電源制御部４１、第３電源制御部４２は、それぞれ対応する省電力制御部１０、Ｉ／Ｏ制御部２０及びメイン制御部３０から入力される電源制御信号ｐｏｗｅｒ１ｅｎ〜ｐｏｗｅｒ３ｅｎがローレベルになると、それぞれ対応する省電力制御部１０、Ｉ／Ｏ制御部２０、メイン制御部３０に供給していた電源の電力ｐｏｗｅｒ１〜ｐｏｗｅｒ３の供給を停止する。
第１電源監視部４３、第２電源監視部４４、第３電源監視部４５は、それぞれ対応する第１電源制御部４０、第２電源制御部４１、第３電源制御部４２への電源の電力ｐｏｗｅｒ１〜ｐｏｗｅｒ３の供給と供給停止とを監視する。
【００３４】
そして、第１電源監視部４３は、第１電源制御部４０から省電力制御部１０への電源の電力ｐｏｗｅｒ１が供給停止の状態から供給開始に切り替わったことを検知すると、省電力制御部１０に対してリセット信号ｒｅｓｅｔ１を出力して、省電力制御部１０をリセットさせる。
また、第２電源監視部４４は、第２電源制御部４１からＩ／Ｏ制御部２０への電源の電力ｐｏｗｅｒ２が供給停止の状態から供給開始に切り替わったことを検知すると、Ｉ／Ｏ制御部２０に対してリセット信号ｒｅｓｅｔ２を出力して、Ｉ／Ｏ制御部２０をリセットさせる。
【００３５】
さらに、第３電源監視部４５は、第３電源制御部４２からメイン制御部３０への電源の電力ｐｏｗｅｒ３が供給停止の状態から供給開始に切り替わったことを検知すると、メイン制御部３０に対してリセット信号ｒｅｓｅｔ３を出力して、メイン制御部３０をリセットさせる。
【００３６】
このように、省電力制御部１０は、電源制御信号ｐｏｗｅｒ１ｅｎ、ｐｏｗｅｒ２ｅｎ、又はｐｏｗｅｒ３ｅｎによって、第１電源制御部４０から省電力制御部１０への電源の電力の供給と供給停止を、第２電源制御部４１からＩ／Ｏ制御部２０への電源の電力の供給と供給停止を、第３電源制御部４２からメイン制御部３０への電源の電力の供給と供給停止をそれぞれ制御する。
省電力制御部１０は、Ｉ／Ｏ制御部２０のＣＰＵ２１又はメイン制御部３０のＣＰＵ３１によって省電力制御部１０内のレジスタ値が設定されることにより、電源制御信号ｐｏｗｅｒ１ｅｎ、ｐｏｗｅｒ２ｅｎ、又はｐｏｗｅｒ３ｅｎを制御する。
【００３７】
次に、図２に示した省電力制御部１０の操作監視部１２の内部構成を説明する。
図１は、図２に示した省電力制御部１０の操作監視部１２の内部構成を省電力復帰条件監視部１１と共に示すブロック図である。
この省電力制御部１０は、画像形成装置１を電力供給状態にすると共に、省電力状態の画像形成装置１を電力供給状態に復帰させる制御を行う省電力制御装置としての機能を果たす。
【００３８】
図１に示すように、省電力制御部１０の操作監視部１２は、ノイズフィルタ１６、エッジ検出部１７、状態制御操作判定部１８及びキー登録操作時間登録部１９を備えている。
また、状態制御操作判定部１８は、内部にカウンタ１８ａを備えている。
ノイズフィルタ１６は、図２の操作表示部５で押下された入力キーに対応するローレベルにアサートされたキー入力信号が入力される。
【００３９】
そして、ノイズフィルタ１６は、キー入力信号に対してノイズ除去処理をしてエッジ検出部１７に出力する。
なお、この実施形態では、便宜上、キー入力信号は入力キーの入力操作によってローレベルにアサートされる場合を示しているが、ローレベルにアサートされる信号に限るものではなく、例えば、ハイレベルにアサートされる信号であってもよい。
【００４０】
エッジ検出部１７は、ノイズフィルタ１６でノイズが除去されたキー入力信号のエッジ（立ち下がりエッジ）を検出し、その検出信号を状態制御操作判定部１８に出力する。
状態制御操作判定部１８は、状態制御操作判定部１８は、エッジ検出部１７から入力されるキー入力信号に基づいて、キー登録操作時間登録部１９のキー登録内容を参照して、図５に示す省電力状態遷移を制御する。
また、状態制御操作判定部１８は、エッジ検出部１７から入力されるキー入力信号に基づいて、図２の操作表示部５の操作部によって入力された入力キーの種類と入力順を検出する検出手段の機能を果たす。
【００４１】
この入力キーの種類の検出は、操作表示部５の各キー毎の入力信号線がそれぞれノイズフィルタ１６に接続しており、状態制御操作判定部１８は、ノイズフィルタ１６のキー入力信号が入力された入力信号線に基いて判断することができる。また、入力順についても、入力信号線を介したキー入力信号の検出順によって判断できる。
【００４２】
さらに、状態制御操作判定部１８は、画像形成装置１が省電力状態のときに、上記検出した複数の入力キーと入力順との組み合わせと、キー登録操作時間登録部１９に記憶されている複数の入力キーの種類と入力順との組み合わせが一致するか否かを判定する判定手段の機能も果たす。
また、状態制御操作判定部１８は、上記判定によって一致すると判定された場合、省電力復帰条件監視部１１に移行リクエスト信号又は復帰リクエスト信号を出力し、その移行リクエスト信号によって省電力復帰条件監視部１１に対して画像形成装置１を予め決められた種類の省電力状態に移行させる省電力移行指示手段の機能を果たす。
さらに、状態制御操作判定部１８は、上記判定によって一致すると判定された場合、省電力復帰条件監視部１１に復帰リクエスト信号を出力し、その復帰リクエスト信号によって省電力復帰条件監視部１１に対して画像形成装置１を省電力状態から電力供給状態に復帰させる省電力復帰指示手段の機能を果たす。
【００４３】
また、状態制御操作判定部１８は、上記検出によって最初の入力キーを検出するとカウンタ１８ｂのカウントを開始し、最初の入力キーを検出してから所定時間を経過するまでにキー登録操作時間登録部１９に記憶された複数の入力キーに相当する入力数を検出しなかった場合、上記検出手段を最初の入力キーを検出する初期状態に戻すキー入力検出初期化制御手段の機能を果たす。
カウンタ１８ａは、省電力状態からの復帰を要求する最初の入力キーを検出してから全ての数のキー入力が完了するまでの所定時間を計測（カウント）する計測手段の機能を果たす。
【００４４】
キー登録操作時間登録部１９は、操作監視部１２に内蔵されているレジスタ、ＳＲＡＭ（Ｓｔａｔｉｃ  Ｒａｎｄｏｍ  Ａｃｃｅｓｓ  Ｍｅｍｏｒｙ）等のメモリである。
このキー登録操作時間登録部１９は、省電力状態のときに、ユーザからのキー操作に基づいて、省電力復帰条件監視部１１によって省電力状態から電力供給状態に復帰させる要求を示す予め決められた複数の入力キーの種類と入力順の組み合わせを記憶する記憶手段の機能を果たす。
また、上記複数の入力キーの種類と入力順の組み合わせは複数種類を記憶することができる。
【００４５】
次に、この画像形成装置１における電力の状態遷移について説明する。
図５は、図２に示した画像形成装置１における省電力状態遷移図である。
図６は、図５に示した各状態又は各モードにおける省電力制御部１０、Ｉ／Ｏ制御部２０、およびメイン制御部３０への給電状態と給電停止状態を示す一覧表である。
図７は、複数種類の省電力状態間の移行要因の一例を示す一覧表である。
【００４６】
図５に示す省電力状態に移行する前の待機・動作状態６０は、図３の省電力制御部１０、Ｉ／Ｏ制御部２０及びメイン制御部３０に、電力ｐｏｗｅｒ１、ｐｏｗｅｒ２、ｐｏｗｅｒ３がそれぞれ供給されているオン（ＯＮ）状態である（図６のａ欄参照）。
【００４７】
また、図５に示す第２省エネモード（第２省電力状態）６１は、図３の省電力制御部１０とＩ／Ｏ制御部２０に電力ｐｏｗｅｒ１、ｐｏｗｅｒ２がそれぞれ供給されていてオン（ＯＮ）状態であり、図３のメイン制御部３０に電力ｐｏｗｅｒ３が供給されていないオフ（ＯＦＦ）状態である（図６のｂ欄参照）。
さらに、図５に示す第１省エネモード（第１省電力状態）６２は、図３の省電力制御部１０に電力ｐｏｗｅｒ１が供給されていてオン（ＯＮ）状態であり、図３のＩ／Ｏ制御部２０とメイン制御部３０に電力ｐｏｗｅｒ２、ｐｏｗｅｒ３がそれぞれ供給されていないオフ（ＯＦＦ）状態である（図６のｃ欄参照）。
【００４８】
そして、図５に示す電源オフ（ＯＦＦ）状態６３は、図３の省電力制御部１０、Ｉ／Ｏ制御部２０及びメイン制御部３０が、オフ状態であって電力ｐｏｗｅｒ１、ｐｏｗｅｒ２、ｐｏｗｅｒ３がそれぞれ供給されていない状態である（図６のｄ欄参照）。
すなわち、待機・動作状態６０、第２省エネモード６１、第１省エネモード６２、電源オフ状態６３への移行は、図３の省電力制御部１０、Ｉ／Ｏ制御部２０、メイン制御部３０への電力ｐｏｗｅｒ１、ｐｏｗｅｒ２、ｐｏｗｅｒ３の供給停止、供給再開によって行われる。
【００４９】
この実施形態の画像形成装置１は、図５の電源オフ状態６３において、図４の電源キー５１が押下されて電源オン入力になり、電源スイッチ信号ｐｗｒ＿ｓｗがアサートされると、図３の第１電源制御部４０、第２電源制御部４１、第３電源制御部４２が、それぞれ対応する省電力制御部１０、Ｉ／Ｏ制御部２０及びメイン制御部３０に、電力ｐｏｗｅｒ１、ｐｏｗｅｒ２、ｐｏｗｅｒ３をそれぞれ供給する。
そして、画像形成装置１は、図３の省電力制御部１０、Ｉ／Ｏ制御部２０及びメイン制御部３０がそれぞれ動作可能な図５の待機・動作状態６０に移行する。
【００５０】
また、画像形成装置１は、図５の待機・動作状態６０において、画像形成装置１に対する動作要求がない状態で予め設定された所定時間（待ち時間）が経過した場合、図３の省電力制御部１０が第３電源制御部４２に出力している電源制御信号ｐｏｗｅｒ３ｅｎをローレベルに切り替える。
そして、画像形成装置１は、図３の第３電源制御部４２がメイン制御部３０に供給している電力ｐｏｗｅｒ３をオフし、第２省エネモード６１に移行する。
【００５１】
さらに、画像形成装置１は、図５の第２省エネモード６１において、ネットワーク受信等が発生していない状態で予め設定された所定時間（待ち時間）が経過した場合、図３の省電力制御部１０がＩ／Ｏ制御部２０の第２電源制御部４１に出力している電源制御信号ｐｏｗｅｒ２ｅｎをローレベルに切り替える。
そして、画像形成装置１は、図３の第２電源制御部４１からＩ／Ｏ制御部２０に供給している電力ｐｏｗｅｒ２をオフにして、図５の第１省エネモード６２に移行する。
【００５２】
また、画像形成装置１は、図５の第２省エネモード６１において、図３の省電力制御部１０は、ネットワーク送受信が発生しているときには、そのネットワーク送受信が完了した後に所定時間が経過した場合、上記と同様に、図５の第１省エネモード６２に移行する。
【００５３】
さらに、画像形成装置１は、図５の第１省エネモード６２では、図３のメイン制御部３０及びＩ／Ｏ制御部２０への電力ｐｏｗｅｒ３、ｐｏｗｅｒ２がそれぞれ供給されておらず、図３のメイン制御部３０のＣＰＵ３１及びＩ／Ｏ制御部２０のＣＰＵ２１への電源電力の供給も停止されているため、図３の省電力制御部１０のハードウェアのみのが動作状態となる。
そして、画像形成装置１は、図５の第１省エネモード６２において、図３の省電力制御部１０が復帰イベント（省電力復帰要因）の発生を検知すると、後述するウェークアップ状態を経由して図５の第２省エネモード６１へ移行する。
ここでの復帰とは、第１省エネモード６２から第２省エネモード６１への移行を示す。
【００５４】
また、画像形成装置１は、図５の第２省エネモード６１において、図３の省電力制御部１０が復帰イベント（省電力復帰要因）の発生を検知すると、後述するウェークアップ状態を経由して図５の待機・動作状態６０へ移行する。
そして、図３の省電力制御部１０は、図７に示すように、ＵＳＢ受信、ネットワーク受信、タイマからのトリガ、インクカートリッジのカバーオープン及び操作表示部５の操作部からのキー入力を省電力復帰要因（省電力復帰条件）として、待機・動作状態６０、第２省エネモード６１、第１省エネモード６２、電源オフ状態６３への移行を制御する。
【００５５】
図７に示すように、ＵＳＢ受信は、図２のＵＳＢホストＩ／Ｆ部３７に接続されるＵＳＢメモリ６からの情報取得や印刷ジョブ等のＵＳＢ受信であり、ネットワーク受信は、図２のＩ／Ｏ制御部２０のネットワーク制御部２２に接続されているＮＷ９からの情報取得、印刷ジョブの受信等である。
ただし、ネットワーク環境下では、応答の不要なパケットや対応していないパケットを受信することがあるため、図２の省電力復帰条件監視部１１は、パケットフィルタリング機能（図示省略）を備えており、予めパターンマッチングテーブルが設定されていて、受信したパケットが設定されているパターンマッチングテーブルとマッチした場合に移行条件が発生したと判断する。
【００５６】
タイマからのトリガは、図２のＴＭＲ１５からタイムアウトによって入力され、例えば、定期的にクリーニング（エンジン部３のインクジェットプロッタにおけるメンテナンス動作）用にＴＭＲ１５に設定されたクリーニングタイムのタイムアウトによって入力されるトリガである。
インクカートリッジのカバーオープンはユーザ操作であり、画像処理装置１に設けられているインクカートリッジカバーの開閉を検出するカバー開閉検出センサ（図示省略）からの入力信号を監視して、そのカバー開閉検出センサからの検出信号のエッジを検出すると移行条件が発生したとする。
【００５７】
図２の操作表示部５からのキー入力はユーザ操作であり、図２の操作表示部５でのキー入力によって入力されるキー入力信号であり、予め決められた種類の入力キーが予め決められた順番で入力された場合に発生する。
なお、上記タイマのトリガとして、この実施形態の画像処理装置１では、図２の省電力制御部１０のＴＭＲ１５を用いているが、長時間の計測が必要な場合は、コントローラ部２の外部に図示を省略したリアルタイムクロック（ＲＴＣ：Ｒｅａｌ  Ｔｉｍｅ  Ｃｌｏｃｋ  ）を搭載し、そのＲＴＣのアラーム機能を使用してコントローラ部２の外部から移行リクエスト信号を入力するようにしてもよい。
【００５８】
そして、画像処理装置１は、図２のＲＯＭ４に省電力制御に係る手順からなる省電力制御プログラムを記憶させることにより、図２のＣＰＵ３１がその省電力制御プログラムを実行することによって省電力制御機能を実現するようにすることもできる。
上記省電力制御プログラムを記録するコンピュータ読み取り可能な記録媒体としては、上記ＲＯＭ４の他、図示を省略したＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ  ）、ＥＰＲＯＭ、フラッシュメモリがある。
【００５９】
また、上記記録媒体として、フレキシブルディスク、ＣＤ−ＲＯＭ（Ｃｏｍｐａｃｔ  Ｄｉｓｃ  Ｒｅａｄ  Ｏｎｌｙ  Ｍｅｍｏｒｙ）、ＣＤ−ＲＷ（Ｃｏｍｐａｃｔ  Ｄｉｓｃ  Ｒｅｗｒｉｔａｂｌｅ）、ＤＶＤ（Ｄｉｇｉｔａｌ  Ｖｅｒｓａｔｉｌｅ  Ｄｉｓｋ）、ＳＤ（Ｓｅｃｕｒｅ  Ｄｉｇｉｔａｌ）カード、ＭＯ（Ｍａｇｎｅｔｏ−Ｏｐｔｉｃａｌ  Ｄｉｓｃ）等がある。
この省電力制御プログラムは、アセンブラ、Ｃ、Ｃ＋＋、Ｃ＃、Ｊａｖａ（登録商標）等のレガシープログラミング言語やオブジェクト指向ブログラミング言語等で記述されたプログラムであり、上記記録媒体に格納して頒布することができる。
【００６０】
画像処理装置１は、図５に示したように、複数段階の省電力状態を備えており、省電力状態に移行する前の待機・動作状態６０では、図３の省電力制御部１０、Ｉ／Ｏ制御部２０及びメイン制御部３０をオン（ＯＮ）状態にして電力ｐｏｗｅｒ１、ｐｏｗｅｒ２、ｐｏｗｅｒ３を供給状態にする。
また、画像処理装置１は、第２省エネモード６１では、図３の省電力制御部１０とＩ／Ｏ制御部２０をオン（ＯＮ）状態にして電力ｐｏｗｅｒ１、ｐｏｗｅｒ２を供給状態にして、メイン制御部３０をオフ（ＯＦＦ）状態にして電力ｐｏｗｅｒ３を供給停止状態にする。
【００６１】
さらに、画像処理装置１は、第１省エネモード６２では、図３の省電力制御部１０をオン（ＯＮ）状態にして電力ｐｏｗｅｒ１を供給状態にして、Ｉ／Ｏ制御部２０とメイン制御部３０をオフ（ＯＦＦ）状態にして電力ｐｏｗｅｒ２、ｐｏｗｅｒ３を供給停止状態にする。
また、画像処理装置１は、電源オフ状態６３では、図３の省電力制御部１０、Ｉ／Ｏ制御部２０及びメイン制御部３０をオフ状態にして電力ｐｏｗｅｒ１、ｐｏｗｅｒ２、ｐｏｗｅｒ３を供給停止状態にする。
【００６２】
そして、画像処理装置１は、電源オフ状態６３において、図４の電源キー５１が押下されて電源スイッチ信号ｐｗｒ＿ｓｗがアサートされると、図３の第１電源制御部４０、第２電源制御部４１、第３電源制御部４２が、それぞれ対応する省電力制御部１０、Ｉ／Ｏ制御部２０及びメイン制御部３０に、電力ｐｏｗｅｒ１、ｐｏｗｅｒ２、ｐｏｗｅｒ３を供給して、省電力制御部１０、Ｉ／Ｏ制御部２０及びメイン制御部３０が動作可能な図５の状態待機・動作状態６０に移行する。
【００６３】
また、状態待機・動作状態６０において、動作要求がなく所定の待ち時間が経過すると、図３の省電力制御部１０が、メイン制御部３０の第３電源制御部４２に出力している電源制御信号ｐｏｗｅｒ３ｅｎをローレベルに切り替えて、第３電源制御部４２からメイン制御部３０に供給している電力ｐｏｗｅｒ３をオフさせて、図５の第２省エネモード６１に移行する。
省電力制御部１０は、第２省エネモード６１において、ネットワーク受信等が発生していないときには、Ｉ／Ｏ制御部２０の第２電源制御部４１に出力している電源制御信号ｐｏｗｅｒ２ｅｎをローレベルに切り替えて、第２電源制御部４１からＩ／Ｏ制御部２０に供給している電力ｐｏｗｅｒ２をオフにさせて、図５の第１省エネモード６２に移行する。
【００６４】
また、省電力制御部１０は、第２省エネモード６１において、ネットワーク送受信が発生しているときには、そのネットワーク送受信が完了した後、所定の待ち時間が経過するのを待って、上記同様に図５の第１省エネモード６２に移行する。
そして、画像処理装置１は、図７に示したように、ＵＳＢ受信、ネットワーク受信、タイマからのトリガ、インクカートリッジのカバーオープン及び操作表示部５の操作部のキー入力を省電力復帰要因（省電力復帰条件）として第２省エネモード６１、第１省エネモード６２から復帰する。
【００６５】
なお、例えば、省電力状態からの復帰要求としてキー入力を復帰要因とし、そのキー入力に２回のキー入力が必要な場合、１回目のキー入力によって、第１省エネモード６２から第２省エネモード６１へ復帰し、２回目のキー入力によって、第２省エネモード６１から待機・動作状態６０に復帰するようにすることもできる。
このキー入力を復帰要件とする場合、復帰要求の入力キーの種類と入力順を、ユーザが図２の操作表示部５の操作によって設定入力すると、メイン制御部３０のＣＰＵ３１が省電力制御部１０の操作監視部１２の図１に示すキー登録操作時間登録部１９に記憶し、図１の状態制御操作判定部１８が、図２の操作表示部５で入力された入力キーの種類と順番が、キー登録操作時間登録部１９に記憶されているものと一致するか否かによって、復帰要因であるか否か判定して、復帰要因であると、第１省エネモード６２、第２省エネモード６１から待機・動作状態６０に向かって順次状態を遷移させる。
【００６６】
次に、図１の状態制御操作判定部１８が入力キーによる操作によって省電力状態から復帰するときの処理について説明する。
図８は、図１の状態制御操作判定部１８が入力キーによる操作によって省電力状態から復帰する処理を示すフローチャート図である。
図１のキー登録操作時間登録部１９には、省電力状態から復帰する要求の入力キーの種類と入力順を登録しておく。入力キーの数ｎ（ｎは２以上の整数）も予め登録しておく。
【００６７】
図１の状態制御操作判定部１８は、画像形成装置１が省電力状態に移行すると、ステップ（図中「Ｓ」で示す）１で第１キー入力待ち状態に移行する。
この第１キーとは、省電力状態から復帰する要求を示す複数のキー入力の内の第１番目に当たる入力キーである。
ステップ２では、キー入力ありか否かを判断する。この判断は、図１のエッジ検出部１７からのキー入力信号の有無で判断する。
【００６８】
ステップ２でキー入力なしと判断したら（Ｎの場合）、ステップ２の判断処理を繰り返し、キー入力ありと判断したら（Ｙの場合）、ステップ３で入力されたキーが第１キーに該当するか否かを判定する。この判定は、入力された入力キーの種類と入力順（この場合１番目）がキー登録操作時間登録部１９に記憶されている入力キーの種類と入力順と一致するか否かを判定する。
【００６９】
ステップ３で該当しないと判定したら（Ｎの場合）、ステップ２の処理へ戻り、該当すると判定したら（Ｙの場合）、ステップ４でｘ＝１を設定し（ｘはキー番号をカウントするための変数）、ステップ５でｘ＝ｘ＋１によってキー入力数を１つ進め、ステップ６で第ｘキー入力待ち状態に移行し、ステップ７で図１のカウンタ１８ａのカウントを開始する。
このカウンタ１８ａは、画像形成装置１の動作クロックの１周期毎に１をカウント（増加）し、予め設定されたカウント値までカウントする。この予め設定されたカウント値は、最初の入力キーを検出してから予め記憶された複数の入力キーに相当する入力数を検出するまでの待機時間に相当する値にする。
【００７０】
ステップ８で、次のキー入力ありか否かを判断する。この判断も、図１のエッジ検出部１７からのキー入力信号の有無で判断する。
ステップ８でキー入力なしと判断したら（Ｎの場合）、ステップ９で所定時間経過したか否かを判断する。この判断は、図１のカウンタ１８ａが予め設定したカウント値をカウントしたら所定時間を経過したと判断する。
ステップ９で所定時間経過していないと判断したら、ステップ８へ戻り、所定時間経過したと判断したら、ステップ１０で図１のカウンタ１８ａをリセットし、ステップ１に戻って第１キー入力待ち状態に移行する。
【００７１】
このようにして、状態制御操作判定部１８は、第１キーを検出してから所定時間を経過するまでに予め記憶された複数の入力キーの数ｎまでの入力を検出しなかった場合、キー入力検出を最初の入力キーを検出する初期状態に戻す。
したがって、画像形成装置１の省電力状態を解除する複数の入力キーの入力操作が途中のまま放置された場合、次のユーザは、省電力状態を解除するために入力キーの操作を初期状態に戻すという繁雑な作業をせずに済む。
このように、ユーザに対して省電力状態から復帰させるキー入力の際の操作性を良くすることができる。
【００７２】
一方、ステップ８で、キー入力ありと判断したら（Ｙの場合）、ステップ１１で入力されたキーが第ｘキーに該当するか否かを判定する。この判定は、入力された入力キーの種類と入力順（この場合ｘ番目）がキー登録操作時間登録部１９に記憶されている入力キーの種類と入力順と一致するか否かを判定する。
ステップ１１で該当しないと判定したら（Ｎの場合）、ステップ１の処理へ戻り、該当すると判定したら（Ｙの場合）、ステップ１２でｘ＝ｎか否かを判断する。この判断は、省電力状態から復帰を要求する複数の入力キーに相当するキー入力が完了したか否かを判断する。
【００７３】
ステップ１２でｘ＝ｎではないと判断した場合（Ｎの場合）、省電力状態から復帰を要求する複数の入力キーに相当するキー入力が完了していないので、ステップ５へ戻って次のキー入力待ち状態に移行する。
また、ステップ１２でｘ＝ｎと判断した場合（Ｙの場合）、省電力状態から復帰を要求する複数の入力キーに相当するキー入力が所定時間内に完了しているので、ステップ１３で図１の省電力復帰条件監視部１１に復帰リクエスト信号を出力し、省電力復帰条件監視部１１によって画像形成装置１を省電力状態から電力供給状態に復帰させ、この処理を終了する。
【００７４】
次に、この実施形態の画像処理装置１における省電力状態から復帰させる制御処理について説明する。
図９は、図２に示した画像形成装置１における省電力状態復帰遷移図である。
図１０は、図２に示した画像形成装置１における省電力状態復帰遷移制御時のタイミングチャート図である。
ここでは、省電力状態から２回の入力キーの入力操作が必要であり、そのキー入力として、１番目の入力に図４に示したキャンセルキー５０を、２番目の入力に図４に示した電源キー５１を割り当てた場合を説明する。
【００７５】
図９に示すように、画像形成装置１がアイドル状態７０から第２省エネモード６１又は第１省エネモード６２の省電力状態に移行すると、図１の状態制御操作判定部１８は、第１キー入力待ち状態７１に移行する。
状態制御操作判定部１８は、第１キー入力待ち状態７１において、図４のキャンセルキー５０の入力を検出すると、キー登録操作時間登録部１９に記憶されたキー種類と入力順に一致すると判定し、第２キー入力待ち状態７２に移行する。
【００７６】
さらに、状態制御操作判定部１８は、第２キー入力待ち状態７２において、所定時間以内に図４の電源キー５１の入力を検出し、キー登録操作時間登録部１９に記憶されたキー種類と入力順に一致すると判定すると、ウエイクアップ状態７３に移行し、省電力状態を解除し、アイドル状態７０に戻し、省電力状態から復帰する。
一方、第２キー入力待ち状態７２において、電源キー５１以外のキー入力を検出した場合、又は所定時間を経過しても次のキー入力の検出がなかった場合、第１キー入力待ち状態７１に戻す。
【００７７】
このようにして、省電力状態のときに復帰要求のキー入力があっても、所定時間内に予め決められた入力キーに相当する入力数、この場合は２回のキー入力を検出しなかった場合、最初の入力キーを検出する初期状態に戻すので、例えば、最初のユーザによって省電力状態を解除する複数のキー操作が途中のまま放置された場合、次のユーザは、キー操作を初期状態に戻す繁雑な作業をしなくても、省電力状態からの復帰のキー操作を行える。
したがって、ユーザに対する省電力状態からの復帰に係るキー入力の操作性を良くすることができる。
【００７８】
図１０の（ａ）は、画像形成装置１の動作クロック信号（ｃｌｋ）の周期を示す波形である。
また、図１０の（ｂ）は、状態制御操作判定部１８における図９の第１キー入力待ち状態７１、第２キー入力待ち状態７２、ウエイクアップ状態７３の各状態の遷移例を示している。
さらに、図１０の（ｃ）は、画像形成装置１が省電力状態のときに、図４のキャンセルキー５０の押下によるキャンセルキー信号の入力タイミングの一例を示す波形図である。
図２の操作表示部５は、キャンセルキー５０の押下時に上記動作クロックに同期した１クロック（ｃｌｋ）分のパルス信号によるキー入力信号を発生させる。そのパルス信号が図１のノイズフィルタ１６に入力されて検出される。
【００７９】
また、図１０の（ｄ）は、画像形成装置１が省電力状態のときに、図４の電源キー５１の押下による電源キー信号の入力タイミングの一例を示す波形図である。
図２の操作表示部５は、電源キー５１の押下時に上記動作クロックに同期した１クロック（ｃｌｋ）分のパルス信号によるキー入力信号を発生させる。そのパルス信号が図１のノイズフィルタ１６に入力されて検出される。
そして、図１０の（ｅ）は、図１のカウンタ１８ａによる所定時間の経過を計測するカウント動作の一例を示す。
【００８０】
例えば、図１０の（１）では、状態制御操作判定部１８は、図９の第１キー入力待ち状態７１のときに、図中時間ｔ１のタイミングでキャンセルキー信号が入力されると、図９の第２キー入力待ち状態７２へ移行し、図１のカウンタ１８ａのカウント動作を開始する。
図１０の（２）では、状態制御操作判定部１８は、図９の第２キー入力待ち状態７２のときに、図１のカウンタ１８ａによる所定時間に相当するカウント値ｎ（ｎは正の整数）をカウントするまでに（０＜ｍ＜ｎ）、図中時間ｔ２のタイミングで再びキャンセルキー信号が入力されると、図９の第１キー入力待ち状態７１へ戻す。
【００８１】
図１０の（３）では、状態制御操作判定部１８は、図９の第２キー入力待ち状態７２のときに、図１のカウンタ１８ａによる所定時間に相当するカウント値ｎ（ｎは正の整数）をカウントするまでに（０＜ｍ＜ｎ）、図中時間ｔ３のタイミングで電源キー信号が入力されると、図９のウエイクアップ状態７３へ移行し、省電力状態を解除し、図９のアイドル状態７０に戻し、省電力状態から復帰する。
【００８２】
図１０の（４）では、状態制御操作判定部１８は、図９の第２キー入力待ち状態７２のときに、図１のカウンタ１８ａによる所定時間に相当するカウント値ｎ（ｎは正の整数）をカウント完了すると（図中時間ｔ４のタイミング）、自動的に図９の第１キー入力待ち状態７１へ戻す。
こうして、キー入力途中で所定時間が経過したら、キー入力状態を自動的に初期状態に戻す。
ここで、ｎは予め省エネ状態に移行する前に状態制御操作判定部１８の図示を省略したレジスタに設定されており、カウンタ１８ａのカウントを開始するときに設定する。
また、カウンタ１８ａは、カウント値ｎをカウント完了すると０にクリアされる。
【００８３】
次に、この実施形態の画像処理装置１における省電力状態から復帰させる他の制御処理について説明する。
図１１は、図２に示した画像形成装置１における他の例の省電力状態復帰遷移図である。
図１２は、図２に示した画像形成装置１における他の例の省電力状態復帰遷移制御時のタイミングチャート図である。
【００８４】
ここでは、省電力状態から３回の入力キーの入力操作が必要であり、そのキー入力として、１番目の入力に図４に示したキャンセルキー５０を、２番目の入力に再びキャンセルキー５０を、３番目の入力に図４に示した電源キー５１を割り当てた場合を説明する。
図１１に示すように、画像形成装置１がアイドル状態８０から第２省エネモード６１又は第１省エネモード６２の省電力状態に移行すると、図１の状態制御操作判定部１８は、第１キー入力待ち状態８１に移行する。
状態制御操作判定部１８は、第１キー入力待ち状態８１において、図４のキャンセルキー５０の入力を検出すると、キー登録操作時間登録部１９に記憶されたキー種類と入力順に一致すると判定し、第２キー入力待ち状態８２に移行する。
【００８５】
さらに、状態制御操作判定部１８は、第２キー入力待ち状態８２において、所定時間以内に再びキャンセルキー５０の入力を検出し、キー登録操作時間登録部１９に記憶されたキー種類と入力順に一致すると判定すると、第３キー入力待ち状態８３に移行する。
一方、第２キー入力待ち状態８２において、キャンセルキー５０以外のキー入力を検出した場合、又は所定時間を経過しても次のキー入力の検出がなかった場合、第１キー入力待ち状態８１に戻す。
【００８６】
次に、状態制御操作判定部１８は、第３キー入力待ち状態８３において、所定時間以内に図４の電源キー５１の入力を検出し、キー登録操作時間登録部１９に記憶されたキー種類と入力順に一致すると判定すると、ウエイクアップ状態８４に移行し、省電力状態を解除し、アイドル状態８０に戻して省電力状態から復帰する。
一方、第３キー入力待ち状態８３において、電源キー５１以外のキー入力を検出した場合、又は所定時間を経過しても次のキー入力の検出がなかった場合、第１キー入力待ち状態８１に戻す。
【００８７】
このようにして、省電力状態のときに復帰要求のキー入力があっても、所定時間内に予め決められた入力キーに相当する入力数、この場合は３回のキー入力を検出しなかった場合、最初の入力キーを検出する初期状態に戻すので、例えば、最初のユーザによって省電力状態を解除する複数のキー操作が途中のまま放置された場合、次のユーザは、キー操作を初期状態に戻す繁雑な作業をしなくても、省電力状態からの復帰のキー操作を行える。
したがって、ユーザに対する省電力状態からの復帰に係るキー入力の操作性を良くすることができる。
【００８８】
図１２の（ａ）は、画像形成装置１の動作クロック信号（ｃｌｋ）の周期を示す波形である。
また、図１２の（ｂ）は、状態制御操作判定部１８における図９の第１キー入力待ち状態８１、第２キー入力待ち状態８２、第３キー入力待ち状態８３、ウエイクアップ状態８４の各状態の遷移例を示している。
さらに、図１２の（ｃ）は、画像形成装置１が省電力状態のときに、図４のキャンセルキー５０の押下によるキャンセルキー信号の入力タイミングの一例を示す波形図である。
【００８９】
図２の操作表示部５は、キャンセルキー５０の押下時に上記動作クロックに同期した１クロック（ｃｌｋ）分のパルス信号によるキー入力信号を発生させる。そのパルス信号が図１のノイズフィルタ１６に入力されて検出される。
また、図１２の（ｄ）は、画像形成装置１が省電力状態のときに、図４の電源キー５１の押下による電源キー信号の入力タイミングの一例を示す波形図である。
図２の操作表示部５は、電源キー５１の押下時に上記動作クロックに同期した１クロック（ｃｌｋ）分のパルス信号によるキー入力信号を発生させる。そのパルス信号が図１のノイズフィルタ１６に入力されて検出される。
【００９０】
そして、図１２の（ｅ）は、図１のカウンタ１８ａによる所定時間の経過を計測するカウント動作の一例を示す。
例えば、図１２の（１）では、状態制御操作判定部１８は、図１１の第１キー入力待ち状態８１のときに、図中時間ｔ１１のタイミングでキャンセルキー信号が入力されると、図１１の第２キー入力待ち状態８２へ移行し、図１のカウンタ１８ａのカウント動作を開始する。
【００９１】
図１２の（２）では、状態制御操作判定部１８は、図１１の第２キー入力待ち状態８２のときに、図１のカウンタ１８ａによる所定時間に相当するカウント値ｎ（ｎは正の整数）をカウントするまでに（０＜ｍ＜ｎ）、図中時間ｔ１２のタイミングで再びキャンセルキー信号が入力されると、図１１の第３キー入力待ち状態８３へ移行し、図１のカウンタ１８ａのカウント動作を継続する。
【００９２】
図１２の（３）では、状態制御操作判定部１８は、図１１の第３キー入力待ち状態８３のときに、図１のカウンタ１８ａによる所定時間に相当するカウント値ｎ（ｎは正の整数）をカウントするまでに（０＜ｍ＜ｎ）、図中時間ｔ１３のタイミングで電源キー信号が入力されると、図１１のウエイクアップ状態８４へ移行し、省電力状態を解除し、図１１のアイドル状態８０に戻し、省電力状態から復帰する。
【００９３】
図１２の（４）では、状態制御操作判定部１８は、図１１の第２キー入力待ち状態８２（又は第３キー入力待ち状態８３）のときに、図１のカウンタ１８ａによる所定時間に相当するカウント値ｎ（ｎは正の整数）をカウント完了すると（図中時間ｔ１４のタイミング）、自動的に図１１の第１キー入力待ち状態８１へ戻す。
こうして、キー入力途中で所定時間が経過したら、キー入力状態を自動的に初期状態に戻す。
【００９４】
ここで、ｎは予め省エネ状態に移行する前に状態制御操作判定部１８の図示を省略したレジスタに設定されており、カウンタ１８ａのカウントを開始するときに設定する。
また、カウンタ１８ａは、カウント値ｎをカウント完了すると０にクリアされる。
上述のように、状態遷移の条件とするキー操作は、キャンセルキー５０、電源キー５１に限るものではなく、例えば、図４の５２〜５５のいずれかのキーを使用しても良い。
【００９５】
なお、上記説明では、２段階の省エネモードの場合を説明したが、さらに多くのモードを設けても良い。
例えば、省電力状態として、第１省エネモード、第２省エネモード、第３省エネモードを設け、待機・動作状態で、待ち時間が経過するか省電力へ移行させるキー操作が行われると、最も消費電力の削減効果の高い第１省エネモードに移行して、第１省エネモードにおいて、操作表示部５での任意のキー操作によるキー入力信号が状態制御操作判定部１８に入力されると、状態制御操作判定部１８が、２番目に消費電力の削減効果の高い第２省エネモードに移行する。
【００９６】
そして、状態制御操作判定部１８は、このとき入力されたキー信号を、図示しないレジスタに記憶する。
また、第２省エネモードで、操作表示部５での任意のキー操作によるキー入力信号が状態制御操作判定部１８に入力されると、状態制御操作判定部１８が、３番目に消費電力の削減効果の高い第３省エネモードに移行する。
そして、状態制御操作判定部１８は、このとき入力されたキー信号を、図示しないレジスタに記憶する。
【００９７】
すなわち、状態制御操作判定部１８は、第１省エネモードで操作されたキー信号と第２省エネモードで操作されたキー信号を順番にレジスタに記憶する。
そして、状態制御操作判定部１８は、第３省エネモードにおいて、操作表示部５でのキー操作によってキー信号が入力されると、レジスタに記憶されている既に入力されたキーのキー信号とその入力に、第３省エネモードで入力されたキーのキー入力順を並べたキー信号列を、予めキー登録操作時間登録部１９に登録されている３種類のキー信号とそのキー信号の入力順のキー信号列を比較し、一致すると、省電力解除要因が発生したとして、ウェークアップ状態を経由して、待機・動作状態に復帰する。
【００９８】
ところが、第３省エネモードで入力されたキー信号を含めて第１省エネモード及び第２省エネモードで入力されたキー信号の種類と入力順のキー信号列がキー登録操作時間登録部１９に登録されているキー信号列と一致しないときには、状態制御操作判定部１８は、第１省エネモードに戻す。
したがって、省エネモードから復帰するためには、予め登録されている３つのキー操作を登録されている順番で入力して初めて、待機・動作状態に復帰するようにする。
【００９９】
なお、第２省エネモードから第１省エネモードへの移動経路（遷移経路）を設けると、第２省エネモードから第１省エネモードに移行させると、何回目のキー操作が間違っていたかが分かってしまう。
そこで、第２省エネモードから第１省エネモードへの移動経路を設けないようにすれば、キー登録操作時間登録部１９に登録されているキー信号列が第３者に分かってしまうことを防止すると共に、キー操作を複数登録できるようにすると、２回目、３回目の操作を判定する際にそれ以前の操作とひもづける必要があり、回路が複雑になることを防止することができる。
【０１００】
また、第１省エネモードから第２省エネモードへ移行すると、その後、最低２回キー操作を行わないと、第１省エネモードに戻らないようにすることもできる。
なお、上記説明では、キー登録操作時間登録部１９に登録する入力キーの種類と入力順のキー信号列（キー操作列）が１種類の場合について説明したが、１種類に限るものではなく、複数種類のキー信号列（キー操作列）を登録して、そのうちの１種類でも操作表示部５から入力されたキー操作のキー信号列（キー操作列）が一致すると、省電力復帰条件が発生したとして、省電力状態から復帰するようにしてもよい。
【０１０１】
また、ユーザ毎にキー信号列（キー操作列）を登録して、複数のユーザ毎に復帰のためのキー信号列（キー操作列）を使い分けてもよい。
したがって、画像処理装置１を複数ユーザで共有する場合に、ユーザ毎に復帰操作手順を設定することができ、ユーザビリティを向上させつつ、省電力効果を向上させることができる。
そして、復帰要因となるキー操作を、より一層複雑にするためには、回路規模が増えるおそれがあるため、ある程度少ないキー操作とすることが望ましい。
【０１０２】
複雑なキー操作を必要とする場合は、一旦、Ｉ／Ｏ制御部２０に電源電力の供給を行う第２省エネモードに移行したときに、Ｉ／Ｏ制御部２０のＣＰＵ２１を使用して、さらに複雑な復帰判定を行ってもよい。
このようにすることで、単純な誤操作等による省電力状態からの復帰を防止して、消費電力の削減効果を向上させることができる。また、省電力状態からの復帰操作の操作性を向上させることができる。
【０１０３】
そして、画像処理装置１は、上記複数回のキー入力による省電力状態からの復帰において、現在の省電力状態を安価にかつ容易にユーザに分かるように、例えば、操作表示部５のインクのニアエンドを通知する発光素子であるＣ用ＬＥＤ５２、Ｍ用ＬＥＤ５３、Ｙ用ＬＥＤ５４、Ｋ用ＬＥＤ５５を利用して、省電力状態を通知するようにしてもよい。
【０１０４】
例えば、省電力制御部１０の操作監視部１２が、操作表示部５のＣ用ＬＥＤ５２、Ｍ用ＬＥＤ５３、Ｙ用ＬＥＤ５４、Ｋ用ＬＥＤ５５の点灯制御を行っているが、この点灯／消灯を省電力状態に対応させて制御するデータ（省電力状態ＬＥＤ制御データ）を記憶するレジスタを備えており、ユーザが操作表示部５のキー操作によって、どの省電力状態でどのＣ用ＬＥＤ５２、Ｍ用ＬＥＤ５３、Ｙ用ＬＥＤ５４、Ｋ用ＬＥＤ５５を点灯／消灯させるかを指示操作すると、メイン制御部３０のＣＰＵ３１が、その指示操作内容に応じた省電力状態ＬＥＤ制御データを操作監視部１２のレジスタに書き込む。
【０１０５】
そして、操作監視部１２は、第１省エネモード、第２エネモード（又は第３省エネモード）に応じて、Ｃ用ＬＥＤ５２、Ｍ用ＬＥＤ５３、Ｙ用ＬＥＤ５４、Ｋ用ＬＥＤ５５の点灯／消灯を制御する。
このようにすると、ＣＰＵ２１、３１への電源電力が停止されている状態においても、操作表示部５のＬＥＤの点灯を制御して、省電力状態のモードの種類をユーザに通知することができる。
【０１０６】
さらに、上記Ｃ用ＬＥＤ５２、Ｍ用ＬＥＤ５３、Ｙ用ＬＥＤ５４、Ｋ用ＬＥＤ５５の点灯状態によって、ユーザに省電力状態からの復帰の操作の入力段階を明示することができる。
例えば、操作監視部１２は、第１キー入力待ち状態の場合、図１３の（ａ）に示すように、操作表示部５のキャンセルキー５０、電源キー５１、Ｃ用ＬＥＤ５２、Ｍ用ＬＥＤ５３、Ｙ用ＬＥＤ５４、Ｋ用ＬＥＤ５５の全てを消灯する。
【０１０７】
また、操作監視部１２は、第２キー入力待ち状態の場合、Ｃ用ＬＥＤ５２への電源信号をアサートして、図１３の（ｂ）に示すように、Ｃ用ＬＥＤ５３のみを点灯させる（図中の矩形枠内に斜線を施して点灯状態を示す）。
さらに、操作監視部１２は、第３キー入力待ち状態の場合、Ｙ用ＬＥＤ５４への電源信号をアサートして、図１３の（ｃ）に示すように、Ｙ用ＬＥＤ５４のみを点灯させる（図中の矩形枠内に斜線を施して点灯状態を示す）。
このようにすると、ユーザに省電力状態からの復帰の操作の操作のキー入力について、何番目の段階であるかを通知することができる。
この実施形態の画像形成装置は、ユーザが省エネルギー状態を解除させるための操作のユーザビリティを向上させることができる。
【符号の説明】
【０１０８】
１：画像形成装置    ２：コントローラ部    ３：エンジン部    ４：ＲＯＭ    ５：操作表示部    ６：ＵＳＢメモリ    ７：外部ＲＡＭ    ８：ＰＣ    ９：ＮＷ    １０：省電力制御部    １１：省電力復帰条件監視部    １２：操作監視部    １３：ＵＳＢペリフェラルＩ／Ｆ部    １４：ＲＡＭ    １５：ＴＭＲ    １６：ノイズフィルタ    １７：エッジ検出部    １８：状態制御操作判定部    １８ａ：カウンタ    １９：キー登録操作時間登録部    ２０：Ｉ／Ｏ制御部    ２１、３１：ＣＰＵ    ２２：ネットワーク制御部    ２３：メモリコントローラ部    ３０：メイン制御部    ３２：画像処理部    ３３：エンジン制御部    ３４：エンジンＩ／Ｆ部    ３５：外部バスＩ／Ｆ部    ３６：操作表示Ｉ／Ｆ部    ３７：ＵＳＢホストＩ／Ｆ部    ４０：第１電源制御部    ４１：第２電源制御部    ４２：第３電源制御部    ４３：第１電源監視部    ４４：第２電源監視部    ４５：第３電源監視部    ５０：キャンセルキー    ５１：電源キー    ５２：Ｃ用ＬＥＤ    ５３：Ｍ用ＬＥＤ    ５４：Ｙ用ＬＥＤ    ５５：Ｋ用ＬＥＤ    ６０：待機・動作状態    ６１：第２省エネモード    ６２：第１省エネモード    ６３：電源オフ状態
【先行技術文献】
【特許文献】
【０１０９】
【特許文献１】特開２００２−１３５４８７号公報
【図１】
2013051468.tif 000003
【図２】
2013051468.tif 000004
【図３】
2013051468.tif 000005
【図４】
2013051468.tif 000006
【図５】
2013051468.tif 000007
【図６】
2013051468.tif 000008
【図７】
2013051468.tif 000009
【図８】
2013051468.tif 000010
【図９】
2013051468.tif 000011
【図１０】
2013051468.tif 000012
【図１１】
2013051468.tif 000013
【図１２】
2013051468.tif 000014
【図１３】
2013051468.tif 000015